(57)【特許請求の範囲】
【請求項１】
ロール状に巻回されたマスタに製版部のサーマルヘッドによりデータを穿孔状態で形成するとともにカッタによりカットした製版済みのマスタを版胴の外周に巻き付け、前記版胴上の製版済みのマスタにインキを供給し、回転する版胴の外周に印刷用紙を圧接して印刷する印刷装置において、
マスタが前記版胴に向けて一定距離搬送される期間にプラテンローラに対して前記サーマルヘッドを複数回相対的に接離させる接離駆動手段と、前記プラテンローラ上のマスタを前記サーマルヘッドが圧接しているときに限り前記プラテンローラを回転させるマスタ搬送駆動手段とを具備することを特徴とする印刷装置。
【請求項２】
版胴に巻き付けられた使用済みのマスタを剥離して除去する排版部をさらに具備し、前記排版部により前記版胴上の使用済みのマスタが剥離された後に、マスタ搬送駆動手段によりマスタを前記版胴のクランパに向けて搬送し、その搬送された前記マスタを前記クランパで保持して前記版胴を回転させ、このときに前記版胴上に巻き付けられた前記マスタをカッタにより前記版胴の開口部を覆うに足りる長さにカットした状態で、次の製版命令のために待機するようにしたことを特徴とする請求項１記載の印刷装置。
【請求項３】
版胴に巻き付けられた使用済みのマスタを剥離して除去する排版部をさらに具備し、次の製版命令が出力されたときに、その製版動作を実行する前に、排版部により版胴上の使用済みのマスタの剥離を開始するとともに、これと並行してマスタ搬送駆動手段によりマスタを前記版胴のクランパに向けて搬送し、その搬送された前記マスタを前記クランパで保持して前記版胴を回転させ、このときに前記版胴上に巻き付けられた前記マスタをカッタにより前記版胴の開口部を覆うに足りる長さにカットするようにしたことを特徴とする請求項１記載の印刷装置。
【請求項４】
版胴に巻き付けられた使用済みのマスタを剥離して除去する排版部をさらに具備し、前記排版部による前記版胴上の使用済みのマスタの剥離動作前のタイミングでマスタ搬送駆動手段によりマスタを前記版胴のクランパに向けて搬送し、その搬送された前記マスタを前記クランパで保持して所望の長さのカットマスタにカットし、前記版胴を回転させることにより前記カットマスタを使用済みのマスタの上に重ねて巻き付けるようにしたことを特徴とする請求項１記載の印刷装置。
【発明の詳細な説明】
【０００１】
【発明の属する技術分野】
本発明は、回転自在な版胴に巻き付けた製版済みのマスタに位置を合わせて印刷用紙を給紙し、この印刷用紙をマスタを介して版胴に押し付け、マスタに供給されたインキを印刷用紙に転写する方式の印刷装置に関する。
【０００２】
【従来の技術】
この種の印刷装置においては、ロール状に巻回されたマスタに製版部のサーマルヘッドによりデータを穿孔状態で形成して版胴に向けて送り出し、製版済みのマスタの先端が版胴の外周に設けたクランパに達したときにクランパを閉じ、版胴を回転させて所望の長さにカットされた製版済みのマスタを版胴の外周に巻き付けている。
【０００３】
この場合、マスタの先端が揃っていないと版胴上のクランパにより偏った状態で保持されるので、特開平６−３２０４１号公報に記載されているように、製版前にマスタの先端を揃えるためにマスタ先端カット処理が行われている。このマスタ先端カット処理は、例えば、製版部に新しいマスタをセットしたとき、或いはジャム処理のためにマスタをセットし直したとき等に、ロール状に巻回されたマスタを所定長さ分引き出して版胴に巻き付け、この版胴から伸びるマスタをカッタによりカットすることにより、次に版胴に巻き付けるマスタの先端を揃える処理である。
【０００４】
また、特開平６−２２７１１０号公報に記載されているように、フィルム単体で形成されたマスタを原紙受け部材により案内して版胴に導く場合に、吸送風装置からの風によりマスタを原紙受け部材から浮かせることによりジャムの発生を防止し、マスタの先端が版胴のクランパにより保持されたときに、吸送風装置の動作を吸い込み側に切り替えてマスタを原紙受け部材に吸引することにより、マスタに張力を与えた状態でそのマスタを版胴に巻き付けることが行われている。
【０００５】
【発明が解決しようとする課題】
しかし、ロール状に巻回されたマスタを引き出してサーマルヘッドとプラテンローラとの間にセットするときに、マスタを真っ直ぐに引き出してセットできるとは限らない。引き出したマスタが曲がってセットされた場合にはスキューが発生する。このスキューの度合いが小さい場合にはマスタは自らの腰の強さにより徐々に進行方向を修正するが、スキューの度合いが大きい場合には進路修正が不十分のまま進行し、プラテンローラとサーマルヘッドとの間、或いはその下流側に配置された対の搬送ローラにより曲がった部分が押し潰されて皺が発生してしまう。
【０００６】
本発明は、上述のような点に鑑みなされたもので、マスタの進路を真っ直ぐに自動修正してスキューの発生を防止し得る印刷装置を提供することを目的とする。
【０００７】
【課題を解決するための手段】
請求項１の発明は、マスタが版胴に向けて一定距離搬送される期間にプラテンローラに対してサーマルヘッドを複数回相対的に接離させる接離駆動手段と、前記プラテンローラ上のマスタを前記サーマルヘッドが圧接しているときに限り前記プラテンローラを回転させるマスタ搬送駆動手段とを具備する。従って、マスタはサーマルヘッドとプラテンローラとに挾持されプラテンローラの回転により搬送されるが、プラテンローラに対してサーマルヘッドが相対的に離反する度に挾持状態から解放され、この解放の瞬間に自らの腰の強さにより進路を修正するが、挾持状態からの解放が複数回小刻みに行われるため、マスタは一定距離搬送される過程で少しずつ確実に進路を修正する。
【０００８】
請求項２の発明は、請求項１の発明において、版胴に巻き付けられた使用済みのマスタを剥離して除去する排版部をさらに具備し、前記排版部により前記版胴上の使用済みのマスタが剥離された後に、マスタ搬送駆動手段によりマスタを前記版胴のクランパに向けて搬送し、その搬送された前記マスタを前記クランパで保持して前記版胴を回転させ、このときに前記版胴上に巻き付けられた前記マスタをカッタにより前記版胴の開口部を覆うに足りる長さにカットした状態で、次の製版命令のために待機するようにした。従って、使用済みのマスタを排版部により版胴から剥離して除去するが、その直後にマスタをカットしたカットマスタを版胴の開口部に巻き付けた状態で次の製版命令のために待機させることが可能となる。
【０００９】
請求項３の発明は、請求項１の発明において、版胴に巻き付けられた使用済みのマスタを剥離して除去する排版部をさらに具備し、次の製版命令が出力されたときに、その製版動作を実行する前に、排版部により版胴上の使用済みのマスタの剥離を開始するとともに、これと並行してマスタ搬送駆動手段によりマスタを前記版胴のクランパに向けて搬送し、その搬送された前記マスタを前記クランパで保持して前記版胴を回転させ、このときに前記版胴上に巻き付けられた前記マスタをカッタにより前記版胴の開口部を覆うに足りる長さにカットするようにした。従って、マスタの版胴方向への搬送を並行して行わせることにより、動作時間を短縮することができる。
【００１０】
請求項４の発明は、請求項１の発明において、版胴に巻き付けられた使用済みのマスタを剥離して除去する排版部をさらに具備し、前記排版部による前記版胴上の使用済みのマスタの剥離動作前のタイミングでマスタ搬送駆動手段によりマスタを前記版胴のクランパに向けて搬送し、その搬送された前記マスタを前記クランパで保持して所望の長さのカットマスタにカットし、前記版胴を回転させることにより前記カットマスタを使用済みのマスタの上に重ねて巻き付けるようにした。従って、マスタの先端をカットして揃えるというマスタ先端カット処理を行った場合には、そのときに生じたカットマスタを使用済みのマスタに重ねた状態で版胴に巻き付けておくことが可能となる。これにより、次の製版に際し、版胴上の使用済みのマスタとカットマスタとは排版部により一度に剥離されて除去される。
【００１１】
【発明の実施の形態】
本発明の実施の第一の形態を図１ないし図３に基づいて説明する。１はロール状に巻回された未製版のマスタである。このマスタ１は、厚さが１〜２μｍ程度の熱可塑性樹脂フィルムに多孔質の支持体を貼り合わせたもので、支持体としては、和紙繊維、合成繊維、和紙と合成繊維とを混抄したものが用いられている。以下、説明の都合上、製版前にマスタ１の先端を揃えるために所望の長さにカットした状態のものをカットマスタ１ａ、マスタ１にデータを穿孔状態で形成したものを製版済みのマスタ１ｂ、印刷のために使い終えた状態のものを使用済みのマスタ１ｃと区別して呼称することにする。
【００１２】
回転自在の版胴２の周囲には、マスタ１を加熱穿孔して製版して版胴２へ給版する製版部３と、給紙部（図示せず）から給紙された印刷用紙を版胴２に巻き付けた製版済みのマスタ１ｂの進行にタイミングを合わせて搬送する一対のレジストローラ４と、このレジストローラ４から給紙された印刷用紙を製版済みのマスタ１ｂを介して版胴２に押し付けるプレスローラ５と、印刷済みの印刷用紙を版胴２から剥離する剥離爪６と、この剥離爪６により剥離された印刷用紙を格納する排紙部（図示せず）と、版胴２上の使用済みのマスタ１ｃを版胴２から剥離して除去する排版部７とが配置されている。
【００１３】
前記製版部３は、マスタ１の搬送路８に沿って、回転駆動されるプラテンローラ９、サーマルヘッド１０、一対の搬送ローラ１１，１２、マスタ１を切断するカッタ１３、マスタ１を下から支えるガイド板１４等を順次配置することにより形成されている。マスタ１を支持する供給軸１５、プラテンローラ９、搬送ローラ１１，１２等は、印刷装置の本体ケースの側板（図示せず）に回転自在に支持されて共通の搬送モータ（図示しないがステッピングモータ）に連結されている。この場合、マスタ１に張力を付与するように、搬送ローラ１１，１２の周速度はプラテンローラ９の周速度よりやや速い速度で回転するように構成されている。
【００１４】
さらに、マスタ１が前記版胴２に向けて一定距離搬送される期間に前記プラテンローラ９に対して前記サーマルヘッド１０を複数回接離させる接離駆動手段１６と、プラテンローラ９上のマスタ１をサーマルヘッド１０が圧接しているときに限りプラテンローラ９を回転させるマスタ搬送駆動手段（図示せず）とが設けられている。
【００１５】
接離駆動手段１６は、サーマルヘッド１０を支持して支点軸１７を中心に回転するヘッドアーム１８と、このヘッドアーム１８をプラテンローラ９の方向に付勢する付勢スプリング（図示せず）と、この付勢スプリングの付勢力に抗してヘッドアーム１８をプラテンローラ９とは反対方向に押圧する偏心カム１９と、この偏心カム１９を駆動するカムモータ（図示せず）と、このカムモータの動作をマイクロコンピュータの制御により制御する制御回路（図示せず）とにより形成されている。具体的には、マスタ１が版胴２に向けて一定距離搬送される期間に偏心カム１９を１８０°毎に間欠的に回転させることにより、プラテンローラ９に対してサーマルヘッド１０が複数回接離するように構成されている。
【００１６】
また、本実施の形態では、詳細は後述するが製版部３にマスタ１が存在しない場合には操作パネル（図示せず）にその旨の表示がなされ、この表示によりカムモータが偏心カム１９を１８０°回転させてヘッドアーム１８をプラテンローラ９から離反する方向に回動させ、オペレータが操作パネル上の初期セットスイッチ（図示せず）を操作したときに、カムモータが偏心カム１９を１８０°回転させてヘッドアーム１８を解放するように構成されている。
【００１７】
マスタ搬送駆動手段は、例えば、サーマルヘッド１０がプラテンローラ９に最接近した状態を検出するセンサ（図示せず）と、このセンサの検出信号により搬送モータを駆動してプラテンローラ９を回転させる制御回路（図示せず）とにより形成されている。
【００１８】
前記版胴２には、非開口部２ａと開口部２ｂとが形成されている。開口部２ｂには樹脂又は金属の網体により形成されたメッシュスクリーンが設けられている。この版胴２は、その両端部に固定されたフランジ（図示せず）が、印刷装置の側板に固定的に支持されたインキパイプ２０に回転自在に支持され、時計方向に駆動される。また、版胴２の内部には、この版胴２の内周面に接触するインキローラ２１とドクターローラ２２とが僅かの隙間を開けて回転自在に設けられ、これらのインキローラ２１とドクターローラ２２との間の楔状の空間にインキパイプ２０の下端に形成された供給穴２３から滴下するインキを受けるインキ溜め２４を形成されている。インキパイプ２０には、版胴２の外部に設けられたインキパック（図示せず）からインキが供給される。また、版胴２の外周面には、非開口部２ａの部分でカットマスタ１ａ或いは製版済みのマスタ１ｂの先端を挟持するステージ２５及びクランパ２６が取り付けられている。ステージ２５は、磁性体により形成されて版胴２の軸心方向に沿う長さを有する。クランパ２６は、ステージ２５の長手方向に沿って配置されたクランパ軸２７を支軸として回転自在に支持されている。このクランパ軸２７は図示しない駆動部により回動方向に駆動される。
【００１９】
前記プレスローラ５は、アーム軸２８と一体に回転するローラ支持部材２９の一端に回転自在に支持されている。本実施の形態において、ローラ支持部材２９は、版胴２の回転運動に同期して駆動される加圧アーム（図示せず）と一体に回動するように構成されている。
【００２０】
前記排版部７は、排版ボックス３０と一対の排版ローラ３１，３２とを有する。これらの排版ローラ３１，３２は、排版指令信号により駆動される接離駆動部により駆動されて版胴２に接近するとともに、モータ（図示せず）により駆動されて回転する。一方の排版ローラ３１の回転方向は反時計方向、他方の排版ローラ３２の回転方向は時計方向に定められている。
【００２１】
次に、動作について説明する。製版部３にマスタ１が存在しない場合には操作パネルにその旨の表示がなされる。この表示によりカムモータが偏心カム１９を１８０°回転させてヘッドアーム１８をプラテンローラ９から離反する方向に回動させる。これにより、サーマルヘッド１０がプラテンローラ９から離反する状態に維持される（図１参照）。オペレータがロール状に巻回された新しいマスタ１を供給軸１５に装着し、引き出したマスタ１の先端をプラテンローラ９とサーマルヘッド１０との間に挿入し、操作パネル上の初期セットスイッチを操作すると、カムモータが偏心カム１９を１８０°回転させてヘッドアーム１８を解放する。これにより、ヘッドアーム１８が付勢スプリングの付勢力により回動するためサーマルヘッド１０がマスタ１をプラテンローラ９に圧接する。
【００２２】
サーマルヘッド１０がマスタ１をプラテンローラ９に圧接すると、その状態を検出したマスタ搬送駆動手段がマスタ１を版胴２に向けて一定距離だけ搬送する。この搬送はプラテンローラ９と搬送ローラ１１，１２の回転によるものである。この搬送過程では、偏心カム１９が１８０°毎に間欠的に回転するため、サーマルヘッド１０がプラテンローラ９に対して複数回接離する。プラテンローラ９と搬送ローラ１１，１２はサーマルヘッド１０がマスタ１をプラテンローラ９に圧接しているときに限り回転する。
【００２３】
このように、マスタ１はプラテンローラ９に対してサーマルヘッド１０が離反する度に挾持状態から解放されるので、この解放の瞬間に自らの腰の強さにより進路を修正するが、挾持状態からの解放が複数回小刻みに行われるため、マスタ１は一定距離搬送される過程で少しずつ確実に進路を修正する。さらに、プラテンローラ９はサーマルヘッド１０がマスタ１をプラテンローラ９に圧接したときに限り回転するため、マスタ１はその幅方向の全域がプラテンローラ９とサーマルヘッド１０とにより均一に挾持された状態で搬送される。すなわち、プラテンローラ９とサーマルヘッド１０とが離れているときには、マスタ１は片側しかプラテンローラ９に接触しない状態があるが、この状態ではプラテンローラ９が回転しないので、搬送時にマスタ１がスキューすることがない。マスタ１が一定距離搬送されると、マスタ１の搬送経路中に配設されたマスタ搬送センサ（図示せず）の検出信号によりプラテンローラ９と搬送ローラ１１，１２とが停止する。
【００２４】
この状態で、製版命令信号の有無が確認され、製版命令信号が無い場合には待機信号がＲＡＭ等のメモリに記憶されるが、製版命令信号が出力されると、その信号をトリガとして図３に示すようにクランパ２６が排版部７の下側の定位置に達するまで版胴２が回転して停止し、クランパ２６が開放される。このクランパ２６の開放動作とともに排版部７の排版ローラ３１，３２が版胴２上の使用済みのマスタ１ｃに接触し、続いて回転するため、前回使用した使用済みのマスタ１ｃが排版ローラ３１，３２により挾持されて版胴２から剥離され、排版ボックス３０に破棄される。
【００２５】
この排版動作が終了すると、版胴２は図２に示すようにクランパ２６が略真上に位置するまで回転して停止し、クランパ２６が開放状態に維持され、マスタ先端カット処理のために待機する。すなわち、マスタ１がプラテンローラ９と搬送ローラ１１，１２とにより版胴２に向けてさらに搬送され、この版胴２を回転させるステッピングモータ（図示せず）の駆動ステップ数によりマスタ１の先端がクランパ２６に届いたと判断されると、クランパ２６が閉じられ、マスタ１の先端がクランパ２６とステージ２５との間で挾持され、続いてカッタ１３が駆動されるため、マスタ１は所望の長さのカットマスタ１ａとしてカットされる。続いて、図３に示すように、クランパ２６が排版部７の下側となる定位置まで版胴２が回転して停止すると、クランパ２６が開放され、排版ローラ３１，３２が版胴２上のカットマスタ１ａに接触して回転し、版胴２はさらに時計方向に回転する。これにより、版胴２上のカットマスタ１ａが版胴２から剥離され排版ボックス３０に破棄される。
【００２６】
この後、版胴２は図２に示すようにクランパ２６が略真上に位置するまで回転して停止し、クランパ２６は開放状態に維持されて給版のために待機し、マスタ１の製版が行われる。すなわち、図示しないが、原稿が原稿分離搬送装置により原稿読取部に送出され、原稿画像が読み取られる。その画像信号はＣＣＤ等により電気信号に変換され、さらにＡ／Ｄ変換器によりデジタル信号に変換され、製版制御部により制御されてサーマルヘッド１０に出力されるとともに、プラテンローラ９と搬送ローラ１１，１２との回転動作が制御される。これにより、マスタ１にデータが穿孔状態で形成される。
【００２７】
このようにして製版がなされるが、製版された製版済みのマスタ１ｂが版胴２に向けて搬送される過程では、前述したように、サーマルヘッド１０がプラテンローラ９に対して複数回接離し、プラテンローラ９と搬送ローラ１１，１２とはサーマルヘッド１０が製版済みのマスタ１ｂをプラテンローラ９に圧接しているときに限り回転するので、製版済みのマスタ１ｂはプラテンローラ９からサーマルヘッド１０が離れる度に自らの腰の強さにより進路を真っ直ぐに修正する。
【００２８】
そして、プラテンローラ９及び搬送ローラ１１，１２を駆動する搬送モータの駆動ステップ数により、製版済みのマスタ１ｂの先端がクランパ２６に届いたものと判断されると、クランパ２６は閉じ動作により製版済みのマスタ１ｂの先端を保持すると同時に、版胴２がプラテンローラ９の周速度と略同じ周速度で回転するため、製版済みのマスタ１ｂが版胴２の外周に巻き付けられる。このときの版胴２を駆動するステッピングモータの駆動ステップ数が所定値に達すると、カッタ１３が駆動され製版済みのマスタ１ｂは版胴２の開口部２ｂを覆う所望の長さにカットされ、なおも版胴２が回転することでカットされた製版済みのマスタ１ｂの後端が引き出されて版胴２への巻き付けが完了する。
【００２９】
版胴２への製版済みのマスタ１ｂの巻き付けが完了すると、図示しない給紙トレイに積載されている印刷用紙が分離給紙装置により給紙され、その印刷用紙が版胴２の回転運動に同期して回転するレジストローラ４により版胴２とプレスローラ５との間に搬送されると、ローラ支持部材２９が加圧アームと一体に回動してプレスローラ５を版胴２上の印刷用紙に押しつける。これにより印刷がなされる。
【００３０】
以上のように、製版前にマスタ１の先端を揃えるマスタ先端カット処理を行う場合には、その処理により形成されたカットマスタ１ａは版胴２に巻き付けられた後に排版部７により剥離されて除去されるため、屑として扱われるカットマスタ１ａの除去が容易となり、また、印刷装置の内部に落下してしまうトラブルを回避することができる。
【００３１】
さらに、本実施の形態では、版胴２に巻き付けられた使用済みのマスタ１ｃを剥離して除去する排版部７を具備するので、排版部７により版胴２上の使用済みのマスタ１ｃが剥離された後に、マスタ先端カット処理のためにマスタ搬送駆動手段によりマスタ１を版胴２のクランパ２６に向けて搬送し、その搬送されたマスタ１をクランパ２６で保持して版胴２を回転させ、このときに版胴２上に巻き付けられたマスタ１をカッタ１３により版胴２の開口部２ｂを覆うに足りる長さにカットした状態で、次の製版命令のために待機することにより、使用済みのマスタ１ｃを排版部７により版胴２から剥離して除去するが、その直後にマスタ先端カット処理のためにカットしたカットマスタ１ａを利用して版胴２の開口部２ｂを覆う状態で次の製版命令のために待機させることが可能となる。これにより、版胴２の開口部２ｂに付着するインキの乾燥、版胴２のインキ付着面に対する塵埃等の異物の付着を防止することができる。
【００３２】
また、次の製版命令が出力されたときに、その製版動作を実行する前に、排版部７により版胴２上の使用済みのマスタ１ｃを剥離し、マスタ先端カット処理のためにマスタ搬送駆動手段によりマスタ１を版胴２のクランパ２６に向けて搬送し、その搬送されたマスタ１をクランパ２６で保持して版胴２を回転させ、このときに版胴２上に巻き付けられたマスタ１をカッタ１３により版胴２の開口部２ｂを覆うに足りる長さにカットすることにより、次の製版命令が出力されるまでは、マスタ先端カット処理のためにカットしたマスタ１ａを版胴２の開口部２ｂに巻き付けた状態で待機させることが可能となる。
【００３３】
これにより、版胴２の開口部２ｂに付着するインキの乾燥、版胴２のインキ付着面に対する塵埃等の異物の付着を防止することができる。
【００３４】
なお、マスタ先端カット処理をする場合に、使用済みのマスタ１ｃを版胴２から剥離するときに、マスタ１の版胴２方向への搬送を並行して行わせることにより、動作時間を短縮することができる。
【００３５】
さらに、排版部７による版胴２上の使用済みのマスタ１ｃの剥離動作前のタイミングでマスタ搬送駆動手段によりマスタ１を版胴２のクランパ２６に向けて搬送し、その搬送されたマスタ１をクランパ２６で保持して所望の長さのカットマスタ１ａにカットし、版胴２を回転させることによりカットマスタ１ａを使用済みのマスタ１ｃの上に重ねて巻き付けるようにすることにより、マスタ１の先端をカットして揃えるというマスタ先端カット処理を行った場合には、そのときに生じたカットマスタ１ａを使用済みのマスタ１ｃに重ねた状態で版胴２に巻き付けておくことが可能となる。これにより、次の製版に際し、版胴２上の使用済みのマスタ１ｃとカットマスタ１ａとを排版部７により一度に剥離して除去することができる。
【００３６】
さらに、印刷装置においては、動作中にストップキー等の操作により一次停止信号が入力されることがあるが、マスタ先端カット処理に際し、カットマスタ１ａの版胴２への巻き付けが完了していないとき、或いは、版胴２からカットマスタ１ａが剥離された後の版胴２への製版済みのマスタ１ｂの巻き付けが完了していないときに一次停止信号が入力された場合には、一次停止信号の割り込みをキャンセルする制御を行うようにすることにより、版胴２の開口部２ｂが外気に曝される状態を回避することができる。この場合にも版胴２の開口部２ｂに付着するインキの乾燥、版胴２のインキ付着面に対する塵埃等の異物の付着を防止することができる。
【００３７】
次に、本発明の実施の第二の形態を図４及び図５を参照して説明する。前実施の形態と同一部分は同一符号を用い説明も省略する。本実施の形態では、マスタ先端カット処理に際し、カットマスタ１ａを先端が版胴２のクランパ２６の位置を越えるまで搬送した後にクランパ２６を閉じるようにした。
【００３８】
これにより、ジャム処理等により、図５に示すようにマスタ１の先端が斜めに破けた場合でも、マスタ１の先端をクランパ２６により全幅に渡って確実に保持することができる。
【００３９】
前実施の形態において、プラテンローラ９に対してサーマルヘッド１０を接離させる構造で説明したが、サーマルヘッド１０に対してプラテンローラ９を接離させるようにしてもよい。
【００４０】
【発明の効果】
請求項１の発明によれば、マスタが版胴に向けて一定距離搬送される期間にプラテンローラに対してサーマルヘッドを複数回相対的に接離させるようにし、プラテンローラ上のマスタをサーマルヘッドが圧接しているときに限りプラテンローラを回転させるようにしたので、マスタをサーマルヘッドとプラテンローラとにより挾持してプラテンローラの回転により搬送するが、プラテンローラに対してサーマルヘッドを相対的に離反させる度にマスタを挾持状態から解放し、この解放の瞬間にマスタの腰の強さにより進路を修正することができる。この場合、挾持状態からの解放が複数回小刻みに行われるため、マスタを一定距離搬送する過程で少しずつ確実に進路を修正することができる。さらに、マスタをその幅方向の全域をプラテンローラとサーマルヘッドとにより均一に挾持したときにのみ搬送することができるため、搬送時にマスタにかかるフリクション圧を均一にし、マスタを真っ直ぐに搬送することができる。これにより、マスタのスキューを効果的に防止することができる。
【００４１】
請求項２の発明によれば、排版部により版胴上の使用済みのマスタが剥離された後に、マスタを版胴のクランパに向けて搬送し、その搬送されたマスタをクランパで保持して版胴を回転させ、このときに版胴上に巻き付けられたマスタをカッタにより版胴の開口部を覆うに足りる長さにカットした状態で、次の製版命令のために待機するようにしたので、使用済みのマスタを排版部により版胴から剥離して除去するが、その直後にカットしたマスタにより版胴の開口部を覆う状態で次の製版命令のために待機させることができる。これにより、マスタ先端カット処理のためにカットしたカットマスタを利用して版胴の開口部に付着するインキの乾燥、版胴のインキ付着面に対する塵埃等の異物の付着を防止することができる。
【００４２】
請求項３の発明によれば、版胴に巻き付けられた使用済みのマスタを剥離して除去する排版部をさらに具備し、次の製版命令が出力されたときに、その製版動作を実行する前に、排版部により版胴上の使用済みのマスタの剥離を開始するとともに、これと並行してマスタ搬送駆動手段によりマスタを前記版胴のクランパに向けて搬送し、その搬送された前記マスタを前記クランパで保持して前記版胴を回転させ、このときに前記版胴上に巻き付けられた前記マスタをカッタにより前記版胴の開口部を覆うに足りる長さにカットするようにしたので、マスタの版胴方向への搬送を並行して行わせることにより、動作時間を短縮することができる。
【００４３】
請求項４の発明によれば、排版部による版胴上の使用済みのマスタの剥離動作前のタイミングでマスタを版胴のクランパに向けて搬送し、その搬送されたマスタをクランパで保持して所望の長さのカットマスタにカットし、版胴を回転させることによりカットマスタを使用済みのマスタの上に重ねて巻き付けるようにしたので、マスタの先端をカットして揃えるというマスタ先端カット処理を行った場合には、そのときに生じたカットマスタを使用済みのマスタに重ねた状態で版胴に巻き付けておくことが可能となる。これにより、次の製版に際し、版胴上の使用済みのマスタとカットマスタとを排版部により一度に剥離して除去することができる。
【図面の簡単な説明】
【図１】本発明の実施の第一の形態において、製版部へのマスタのセット状態及び版胴上の使用済みのマスタを剥離する様子を示す縦断正面図である。
【図２】版胴上のクランパによりカットマスタ又は製版マスタを保持する様子を示す縦断正面図である。
【図３】版胴上のカットマスト又は使用済みのマスタを剥離する様子を示す縦断正面図である。
【図４】本発明の実施の第二の形態において、版胴上のクランパによりマスタを保持する様子を示す縦断正面図である。
【図５】クランパとマスタの先端との関係を示す斜視図である。
【符号の説明】
１      マスタ
１ａ    カットマスタ
１ｂ    製版済みのマスタ
１ｃ    使用済みのマスタ
２      版胴
２ｂ    開口部
７      排版部
９      プラテンローラ
１０    サーマルヘッド
１３    カッタ
１６    接離駆動手段
２６    クランパ
【図１】
0003761274.tif 000002
【図２】
0003761274.tif 000003
【図３】
0003761274.tif 000004
【図４】
0003761274.tif 000005
【図５】
0003761274.tif 000006